(57)【要約】【課題】ワイヤが引っ張られたとき緩衝が得られ、ワイヤ内部の金属ワイヤの断裂を防ぎ、使用寿命を延長することができる、耳掛け式イヤホンの提供。【解決手段】本考案の耳掛け式イヤホンは、座体とイヤホン本体を含んで成り、前記座体は一端を延伸して耳掛け部を形成し、且つ、前記耳掛け部をさらに前記座体の他端へと接続し、前記座体上に通孔を開設し、前記イヤホン本体は一体成型で構成され、且つ、前記イヤホン本体を前記座体内に対応させて嵌置し、前記イヤホン本体の一端からワイヤを延伸し、前記通孔から穿出させて音源端へ接続する。【選択図】図４
0003125843.tif 000002
【実用新案登録請求の範囲】
【請求項１】
座体とイヤホン本体を含み、前記座体の一端を延伸して耳掛け部を形成し、且つ、前記耳掛け部を前記座体の他端に接続し、前記座体上に通孔を開設し、前記イヤホン本体は一体成型で構成され、且つ、前記イヤホン本体が前記座体内に対応して嵌置され、前記イヤホン本体の一端からワイヤを延伸し、前記通孔から穿出させて音源端へ接続した、耳掛け式イヤホン。
【請求項２】
前記イヤホン本体がスピーカの背面にカバーを設けて成る、請求項１に記載の耳掛け式イヤホン。
【請求項３】
前記耳掛け部の側縁部を湾曲させ弾性部を形成した、請求項１に記載の耳掛け式イヤホン。
【請求項４】
前記耳掛け部が弾性を備えた軟質材で構成された、請求項１に記載の耳掛け式イヤホン。
【請求項５】
前記耳掛け部がシリコン材質である、請求項１に記載の耳掛け式イヤホン。  
【考案の詳細な説明】
【技術分野】
【０００１】
本考案は耳掛け式イヤホンに関し、詳細には、耳に掛けて使用するとき、ワイヤが使用時に引っぱられ過ぎてイヤホン本体との接続箇所から断裂してしまうのを防ぐ、耳掛け式イヤホンに関する。
【背景技術】
【０００２】
イヤホンは通信や教学、音楽鑑賞等の用途の伝達ツールとして幅広く運用されており、長い間の発展を経て、イヤホンの構造形式は非常に多元化し、耳カバー式、耳挿入式、耳掛け式等の種類があり、そのうち、耳掛け式イヤホンは、重く面倒なヘッドバンドを備えている必要がなく、また、耳挿入式イヤホンにおける耳の穴が塞がれて痛みを引き起こしやすく不快であるという問題がないため、特に使用者に広く好まれており、市場受け入れ度も比較的高い。
【０００３】
現在の市場における従来の耳掛け式イヤホンは、図１及び図２に示すように、イヤホン本体ａを備え、前記イヤホン本体ａはスピーカａ１背面にカバーａ２が設けられ、且つ、前記スピーカａ１と前記カバーａ２間に耳掛け部ｂが固定され、前記耳掛け部ｂはイヤホン本体ａを中心として、外側に環状に延伸された構造を呈し、さらに、前記スピーカａ１と前記カバーａ２間からワイヤｃを延伸して構成される。
【０００４】
上述の構造により、耳掛け部ｂを使用者の耳に掛けると、耳掛け部ｂ中心のイヤホン本体ａがちょうど耳の穴の位置にくる。使用時には、ワイヤｃを介して音源端から音源信号を伝送し、イヤホン本体ａが出力する。
【０００５】
しかしながら、上述の構造は実際の使用時に次のような欠点がある。
1、    その構造において、イヤホン本体ａが使用者の耳に音声を伝えることができるのは、ワイヤｃをイヤホン本体ａから音源端（携帯音楽プレイヤーやラジオ等）に接続しているからであり、その引き伸ばし距離はかなり長く、且つ、使用者が意図せずして頭を振ったり、体を伸ばしたりする動作をすると、ワイヤｃが揺動し、ワイヤｃとイヤホン本体ａの接続端が大きな引っ張り力を受け、ワイヤｃ内部の金属ワイヤに断裂が発生し、耳掛け式イヤホン全体の使用寿命に大きく影響する。
2、    各個人の耳の大きさには大きな違いがあり、従来構造の耳掛け部ｂは弾性を備えてはいるものの、耳の比較的大きな使用者にとっては、耳掛け部ｂを装着すると耳が押さえられ、耳に不快感を覚えることがあり、さらには無理に装着する過程において、耳にケガをしてしまうことさえある。
【０００６】
本考案は、上述の従来の耳掛け式イヤホンを実際に使用するときの欠点に鑑みて、考案者個人の関連産業開発実務における長年の経験に基づき研究を重ね、ついに誕生した耳掛け式イヤホンを提供するものである。
【考案の開示】
【考案が解決しようとする課題】
【０００７】
本考案の主な目的は、ワイヤが引っ張られたとき緩衝が得られ、ワイヤ内部の金属ワイヤの断裂を防ぎ、使用寿命を延長することができる、耳掛け式イヤホンを提供することにある。  
【課題を解決するための手段】
【０００８】
上述の目的を達するため、本考案の耳掛け式イヤホンは、座体とイヤホン本体を含んで成り、前記座体は一端を延伸して耳掛け部を形成し、且つ、前記耳掛け部をさらに前記座体の他端へと接続し、前記座体上に通孔を開設し、前記イヤホン本体は一体成型で構成され、且つ、前記イヤホン本体を前記座体内に対応させて嵌置し、前記イヤホン本体の一端からワイヤを延伸し、前記通孔から穿出させて音源端へ接続する。        
【０００９】
上述の構造により、使用者が耳に掛けて音声を聞くとき、うっかりワイヤを引っ張ってしまっても、前記座体の通孔にイヤホン本体のワイヤが穿通されているため、座体が緩衝効果を形成し、ワイヤがうっかり引っ張られすぎてイヤホン本体との接続箇所に断裂が発生するのを防ぐことができる。        
【考案の効果】
【００１０】
本考案の実施例から分かるように、本考案には次のような利点がある。
1、   
座体１に設けた通孔１１にイヤホン本体３のワイヤ４を穿通することで、座体１をワイヤ４とイヤホン本体３間の緩衝とし、使用者がうっかりワイヤ４を引っ張ってしまっても、ワイヤ４内部の金属ワイヤがイヤホン本体３との接続箇所から断裂を発生しないようにし、全体の使用寿命を延長することができる。
2、   
耳掛け部２側縁部に湾曲させて設けた弾性部２１が引っ張られたときの緩衝を提供し、耳掛け部２を円滑に使用者の耳に装着することができ、耳が比較的大きい使用者の装着過程において痛みを発生しないようにすることができる。
【考案を実施するための最良の形態】
【００１１】
以下、本考案の構造、使用及びその特徴についてより詳細な認識と深い理解を促すため、最良の実施例及び図面に基づき、詳細に説明する。
【００１２】
図３、図４、図５に示すように、本考案は座体１及びイヤホン本体３から構成され、そのうち、前記座体１上に通孔１１を開設し、前記座体１の一端を延伸して耳掛け部２を形成し、且つ、前記耳掛け部２をさらに前記座体１の他端へと接続し、前記耳掛け部２は弾性を備えたシリコン材質から構成され、且つ、前記耳掛け部２の側縁部を湾曲させて弾性部２１を形成する。前記イヤホン本体３は主にスピーカ３１を備え、前記スピーカ３１背面にカバー３２を設けて一体成型で構成し、且つ、前記イヤホン本体３が前記座体１内に対応して嵌置され、前記イヤホン本体３の一端からワイヤ４を延伸し前記通孔１１から穿出させて音源端へと接続する。
【００１３】
上述の構造の実施時には、図４、図５、図６に示すように、使用者が耳掛け部２を耳に装着するとき、耳掛け部２側縁部を湾曲させた弾性部２１により引っ張られたときの緩衝を提供し、耳掛け部２の長さを拡大して円滑に使用者の耳に掛けることができ、使用者に痛みを感じさせることがなく、且つ、耳掛け部２中心の座体１が使用者の耳の穴の位置にちょうどよく位置決めされ、前記座体１内のイヤホン本体３が使用者の耳の穴の位置に合わせられる。使用時には、ワイヤ４を音源端に接続し、音声信号をイヤホン本体３に伝送して出力させる。使用者が意図せずして頭を振ったり、体を伸ばしたりする動作をしてワイヤ４を揺動させ、同時に引っ張り力が生まれたとき、前記座体１の通孔１１にイヤホン本体３のワイヤ４が穿通されているため、座体１がワイヤ４とイヤホン本体３間の緩衝となり、ワイヤ４が引っ張られる力が緩和され、ワイヤ４内の細い金属ワイヤが過度に引っ張られてイヤホン本体３との接続箇所に断裂が発生するのを防ぐことができる。
【００１４】
以上で述べた説明は本考案の最良の実施例に基づくものであり、本考案の実施の範囲を制限するものではなく、本考案の請求の範囲及び明細書の内容に基づいた簡単な同等効果を得る変化や修飾はすべて本考案の特許の範囲内に含まれるものとみなす。
【００１５】
以上、本考案の技術構造について詳細に述べてきたが、本考案の構造は確実にワイヤ４の断裂を防ぎ、使用寿命を延長するという目的を達することができ、且つ、これまで業界の関連製品において公開されたことがなく、実用新案登録出願の要件を満たしているため、特許法の規定に基づき、ここに実用新案登録を出願するものである。
【図面の簡単な説明】
【００１６】
【図１】従来品の立体外観図である。
【図２】従来品の側面図である。
【図３】本考案の立体外観図である。
【図４】本考案の立体分解図である。
【図５】本考案の側面図である。
【図６】本考案の実施例の使用状態を示す側面図である。
【符号の説明】
【００１７】
ａ        イヤホン本体
ａ１      スピーカ
ａ２      カバー
ｂ        耳掛け部
ｃ        ワイヤ
１        座体
１１      通孔
２        耳掛け部
２１      弾性部
３        イヤホン本体
３１      スピーカ
３２      カバー
４        ワイヤ
【図１】
0003125843.tif 000003
【図２】
0003125843.tif 000004
【図３】
0003125843.tif 000005
【図４】
0003125843.tif 000006
【図５】
0003125843.tif 000007
【図６】
0003125843.tif 000008